【手続補正書】
【提出日】平成17年2月28日(2005.2.28)
【手続補正１】
【補正対象書類名】明細書
【補正対象項目名】特許請求の範囲
【補正方法】変更
【補正の内容】
【特許請求の範囲】
【請求項１】
所定のネットワークと通信を行うための送受信手段、および前記送受信手段により受信した通信データを処理するデータ処理手段を備えた画像形成装置と、
前記ネットワークおよび当該ネットワークと通信を行う画像形成装置の送受信手段の両方に接続するとともに、当該送受信手段から当該ネットワークに送信される電子メールが一時的に格納される送信メール格納部、および当該ネットワークから当該送受信手段に送信される電子メールが一時的に格納される受信メール格納部を備えた電子メールサーバとを備えたシステムにおいて、
前記画像形成装置は、
前記送受信手段を前記電子メールサーバの両格納部に接続させるための所定の接続パラメータを設定入力させるための操作手段と、
前記操作手段で設定入力された接続パラメータを記憶するための記憶手段と、
前記操作手段による設定入力状況を表示する表示手段とを有し、
前記データ処理手段は、前記操作手段からの設定入力がなされたときに、
当該設定入力にしたがった接続パラメータを生成して前記メモリに送り、
当該接続パラメータを用いて、前記送受信手段および前記送信メール格納部の接続状態、および／または前記送受信手段および前記受信メール格納部の接続状態を監視して、設定入力された接続パラメータが有効であるか否かを判別し、
前記判別結果の表示を行うための判別結果表示データ、および当該接続パラメータが有効ではないと判別された場合には、必要に応じて、前記操作手段に接続パラメータの再入力を促す表示を行うための入力催促用表示データを前記表示手段に送り、
前記表示手段は、当該判別結果表示データおよび必要に応じて入力催促用表示データに基づいた表示を行うように構成され、
前記データ処理手段は、
前記操作手段にて設定入力された、前記送受信手段と前記送信メール格納部との接続に関する接続パラメータを用いて、当該送受信手段に前記確認電子メールの送信動作を行わせて、当該確認電子メールが当該送受信手段で拒絶されたときに、当該接続に係る接続パラメータが有効でないと判別するように構成されていることを特徴とするネットワーク画像形成装置システム。
【請求項２】
前記データ処理手段は、前記操作手段にて設定入力された、前記送受信手段と当該受信メール格納部との接続に関する接続パラメータを用いて、当該送受信手段に前記受信メー
ル格納部へのアクセス動作を行わせて、このアクセス動作が成功しなかったときに、当該接続に係る接続パラメータが有効でないと判別することを特徴とする請求項１に記載のネットワーク画像形成装置システム。
【請求項３】
前記データ処理手段は、
前記操作手段にて設定入力された、前記送受信手段と前記送信メール格納部との接続に関する接続パラメータを用いて、当該送受信手段に前記確認電子メールの送信動作を行わせて、当該確認電子メールが当該送受信手段で拒絶されたときに、当該接続に係る接続パラメータが有効でないと判別し、または、
前記操作手段にて設定入力された、前記送受信手段と当該受信メール格納部との接続に関する接続パラメータを用いて、当該送受信手段に前記受信メール格納部へのアクセス動作を行わせて、このアクセス動作が成功しなかったときに、当該接続に係る接続パラメータが有効でないと判別し、アクセス動作が成功したときには、前記確認電子メールが当該受信メール格納部で受信されているか否かを確認して、受信されていなかった場合に、当該接続に係る接続パラメータが有効でないと判別し、
さらに、電子メールの送受信が正常に行われない旨の表示を行うための確認用表示データを前記表示手段に送る
ことを特徴とする請求項１に記載のネットワーク画像形成装置システム。
【請求項４】
前記データ処理手段は、前記確認電子メールが前記受信メール格納部で受信されていないと確認された場合に、
前記送受信手段に、所定の時間間隔で所定回数だけ、当該受信メール格納部にアクセスさせて当該確認電子メールの受信を確認させ、それでもなお受信が確認されなかった場合に、前記確認用表示データを前記表示手段に送ることを特徴とする請求項３に記載のネットワーク画像形成装置システム。
【請求項５】
一度設定入力された接続パラメータを変更して、新たな接続パラメータを再入力させる場合において、前記データ処理手段は、
前記操作手段にて再設定入力された接続パラメータが、自機である画像形成装置の再起動を行わなければ、当該画像形成装置が前記電子メールサーバにより認識されないものであるか否かを判別し、
当該再設定入力された接続パラメータが、画像形成装置の再起動が必要な接続パラメータであると判別された場合には、当該画像形成装置の再起動が必要である旨の表示を行うための再起動表示データを前記表示手段に送ることを特徴とする請求項１に記載のネットワーク画像形成装置システム。
【請求項６】
一度設定入力された接続パラメータを変更して、新たな接続パラメータを再入力させる場合において、前記データ処理手段は、
前記操作手段にて再設定入力された接続パラメータが、自機である画像形成装置の再起動を行わなければ、当該画像形成装置が前記電子メールサーバにより認識されないものであるか否かを判別し、
当該再設定入力された接続パラメータが、画像形成装置の再起動が必要な接続パラメータであると判別された場合には、当該画像形成装置の再起動を自動的に行う
ことを特徴とする請求項１に記載のネットワーク画像形成装置システム。
【請求項７】
所定のネットワークと通信を行うための送受信手段、および前記送受信手段により受信した通信データを処理するデータ処理手段を備えた画像形成装置と、
前記ネットワークおよび当該ネットワークと通信を行う画像形成装置の送受信手段の両方に接続するとともに、当該送受信手段から当該ネットワークに送信される電子メールが一時的に格納される送信メール格納部、および当該ネットワークから当該送受信手段に送信
される電子メールが一時的に格納される受信メール格納部を備えた電子メールサーバとを備えたシステムにおけるネットワークへの画像形成装置の登録方法において、
前記送受信手段を、前記電子メールサーバの両格納部に接続させるための所定の接続パラメータの設定入力を促す入力段階と、
前記入力段階での設定入力がなされたときに、当該接続パラメータを用いて、前記送受信手段および前記送信メール格納部の接続状態、および／または前記送受信手段および前記受信メール格納部の接続状態を監視して、前記入力段階で設定入力された接続パラメータが有効であるか否かを判別するパラメータ判別段階と、
前記パラメータ判別段階での判別結果の表示、および当該接続パラメータが有効ではないと判別された場合には、必要に応じて、前記操作手段に接続パラメータの再入力を促す表示を行う表示段階とを有し、
前記パラメータ判別段階では、
前記入力段階にて設定入力された、前記送受信手段と前記送信メール格納部との接続に関する接続パラメータを用いて、当該送受信手段に前記確認電子メールの送信動作を行わせる送信段階と、
前記送信段階で送信された確認電子メールが当該送受信手段で拒絶されたか否かを判別する拒絶確認判別段階とを有し、
前記拒絶確認判別段階にて、確認電子メールが拒絶されたことが確認された場合に、当該接続に係る接続パラメータが有効でないと判別することを特徴とするネットワークへの画像形成装置の登録方法。
【請求項８】
前記パラメータ判別段階では、
前記入力段階にて設定入力された、前記送受信手段と当該受信メール格納部との接続に関する接続パラメータを用いて、当該送受信手段に前記受信メール格納部へのアクセス動作を行わせるアクセス段階と、
前記アクセス段階でのアクセス動作が成功するか否かを判別するアクセス確認判別段階とを有し、
前記アクセス確認判別段階にて、前記アクセス動作が成功しなかったことが確認された場合に、当該接続に係る接続パラメータが有効でないと判別することを特徴とする請求項７に記載の方法。
【請求項９】
前記パラメータ判別段階では、
前記入力段階にて設定入力された、前記送受信手段と前記送信メール格納部との接続に関する接続パラメータを用いて、当該送受信手段に前記確認電子メールの送信動作を行わせる送信段階と、
前記送信段階で送信された確認電子メールが当該送受信手段で拒絶されたか否かを判別する拒絶確認判別段階と、
前記入力段階にて設定入力された、前記送受信手段と当該受信メール格納部との接続に関する接続パラメータを用いて、当該送受信手段に前記受信メール格納部へのアクセス動作を行わせるアクセス段階と、
前記アクセス段階でのアクセス動作が成功するか否かを判別するアクセス確認判別段階と、
前記確認電子メールが当該受信メール格納部で受信されているか否かを判別する受信確認判別手段とを有し、
前記拒絶確認判別段階にて、確認電子メールが拒絶されたことが確認された場合に、当該接続に係る接続パラメータが有効でないと判別され、
前記アクセス確認判別段階にて、前記アクセス動作が成功しなかったことが確認された場合に、当該接続に係る接続パラメータが有効でないと判別され、
前記受信確認判別段階にて、受信の確認が取れなかった場合に、電子メールの送受信が正常に行われない旨判別されること
を特徴とする請求項７に記載の方法。
【請求項１０】
前記受信確認判別段階において、前記確認電子メールが前記受信メール格納部で受信されていないと確認された場合に、
前記送受信手段に対して、再度受信メール格納部へアクセスさせる再受信を行うか否かを判別する再受信確認判別段階と、
前記再受信確認判別段階にて再受信を行う旨判別された場合に、すでに所定回数だけ再受信を行った否かを判別する回数判別段階とを有し、
前記回数判別段階で、すでに所定回数だけ再受信動作を行ったと判別された場合に、電子メールの受信が正常に行われなかったと判別されることを特徴とする請求項９に記載の方法。
【請求項１１】
一度設定入力された接続パラメータを変更する場合において、
新たな接続パラメータの再入力を促す再入力段階と、
前記再入力段階で入力された接続パラメータが、自機である画像形成装置の再起動を行わなければ、当該画像形成装置が前記電子メールサーバにより認識されないものであるか否かを判別する再起動確認段階と、
前記再起動確認段階にて、前記再入力段階で入力された接続パラメータが、画像形成装置の再起動が必要な接続パラメータであると判別された場合には、当該画像形成装置の再起動が必要である旨の表示を行う再起動催促表示段階と
を有することを特徴とする請求項７に記載の方法。
【請求項１２】
一度設定入力された接続パラメータを変更する場合において、
新たな接続パラメータの再入力を促す再入力段階と、
前記再入力段階で入力された接続パラメータが、自機である画像形成装置の再起動を行わなければ、当該画像形成装置が前記電子メールサーバにより認識されないものであるか否かを判別する再起動確認段階と、
前記再起動確認段階にて、前記再入力段階で入力された接続パラメータが、画像形成装置の再起動が必要な接続パラメータであると判別された場合には、当該画像形成装置の再起動を自動的に行う再起動段階と
を有することを特徴とする請求項７に記載の方法。